(57)【要約】    【課題】待ち合わせ場所をより明確に他者に知らせることが出来る環境を実現できる場所情報提供装置を提供する。    【解決手段】場所情報提供装置を、複数の場所のそれぞれに関する３次元画像を表す画像データを，対応する場所の所在地を示す位置情報と共に保持した装置であって、ユーザによって或る場所に関する画像データ（デジタルカメラの撮像結果等）が選択されたときに、当該場所の３次元画像を、当該場所の所在地を示す２次元地図と共に出力する機能を有する装置として構成しておく。    【選択図】  図１０
2007041898.tif 000002
【特許請求の範囲】
【請求項１】
２次元地図を表示するための情報を記憶した地図情報記憶手段と、
複数の場所のそれぞれに関する３次元画像を表す画像データを，対応する場所の所在地を示す位置情報と共に記憶した画像データ記憶手段と、
ネットワーク接続されたコンピュータの操作者に、前記画像データ記憶手段に記憶された複数の画像データの中から１つの画像データを選択させるための処理を行うユーザインタフェース手段と、
前記インタフェース手段が前記操作者に選択させた画像データが表している３次元画像を、その３次元画像が示している場所の所在地を示す２次元地図と共に出力する処理を、前記地図情報記憶手段に記憶されている情報と，その画像データが表している３次元画像が示している場所に関するものとして前記画像データ記憶手段に記憶されている位置情報とに基づいて行う場所情報出力手段と
を備えることを特徴とする場所情報提供装置。
【請求項２】
前記ユーザインタフェース手段が、前記操作者に情報の送信先を指定させるための処理も行う手段であり、
前記場所情報出力手段が、前記ユーザインタフェース手段が前記操作者に指定させた送信先に、前記３次元画像と前記２次元地図を表示するめの情報とを送信する手段である
ことを特徴とする請求項１記載の場所情報提供装置。
【請求項３】
前記ユーザインタフェース手段が、前記操作者にＦＡＸ番号を指定させるための処理も行う手段であり、
前記場所情報出力手段が、前記ユーザインタフェース手段が前記操作者に指定させたＦＡＸ番号を有するＦＡＸに、前記３次元画像と前記２次元地図とが示された書類をＦＡＸする手段である
ことを特徴とする請求項１記載の場所情報提供装置。
【請求項４】
前記ユーザインタフェース手段が、前記操作者に送信先メールアドレスを指定させるための処理も行う手段であり、
前記場所情報出力手段が、前記ユーザインタフェース手段が前記操作者に指定させた送信先メールアドレスを宛先アドレスとした，その受信者が、前記３次元画像と前記２次元地図とを確認可能なＥメールを送信する手段である
ことを特徴とする請求項１記載の場所情報提供装置。
【請求項５】
各種のＨＴＭＬデータを記憶しておく機能と、記憶している各ＨＴＭＬデータを，それを要求したコンピュータに提供する機能とを有するＨＴＭＬデータ公開手段を、さらに、備え、
前記ユーザインタフェース手段が、前記操作者に送信先メールアドレスを指定させるための処理も行う手段であり、
前記場所情報出力手段が、前記３次元画像と前記２次元地図とが示されるＷｅｂページのＨＴＭＬデータを前記ＨＴＭＬデータ公開手段に記憶させる手段であると共に、前記ユーザインタフェース手段が前記操作者に指定させた送信先メールアドレスを宛先アドレスとした，前記ＨＴＭＬデータ公開手段に記憶させた前記ＨＴＭＬデータのＵＲＬが本文に設定されているＥメールを送信する手段である
ことを特徴とする請求項１記載の場所情報提供装置。
【請求項６】
前記ユーザインタフェース手段が、前記操作者に，前記画像データが表している３次元画像上に付けるマークの位置を指定させるための処理も行う手段であり、
前記場所情報出力手段が、前記ユーザインタフェース手段が前記操作者に選択させた画像データが表している３次元画像上に、前記ユーザインタフェース手段が前記操作者に指定された位置にマークを付けた３次元画像を、その３次元画像が示している場所の所在地を示す２次元地図と共に出力する処理を行う手段である
ことを特徴とする請求項１乃至請求項５のいずれかに記載の場所情報提供装置。
【発明の詳細な説明】
【技術分野】
【０００１】
本発明は、ネットワークに接続されて使用される場所情報提供装置に関する。
【背景技術】
【０００２】
周知のように、近年、インターネット上に存在する，地図を検索できるサイト(例えば、非特許文献１参照。)を利用することにより、待ち合わせ場所に関する地図を簡単に取得できるようになっている。
【０００３】
しかしながら、そのようなサイトから得ることが出来る地図は、２次元の，縮尺が１／３０００程度の地図であるため、そのようなサイトから得た地図から，実際の待ち合わせ場所が把握できないといったことがしばしば生じているのが現状である。
【０００４】
【非特許文献１】インターネット＜URL:http://www.mapion.co.jp/＞
【発明の開示】
【発明が解決しようとする課題】
【０００５】
そこで、本発明の課題は、待ち合わせ場所をより明確に他者に知らせることが出来る環境を実現できる場所情報提供装置を提供することにある。
【課題を解決するための手段】
【０００６】
上記課題を解決するために、本発明の場所情報提供装置は、２次元地図を表示するための情報を記憶した地図情報記憶手段と、複数の場所のそれぞれに関する３次元画像を表す画像データを，対応する場所の所在地を示す位置情報と共に記憶した画像データ記憶手段と、ネットワーク接続されたコンピュータの操作者に、画像データ記憶手段に記憶された複数の画像データの中から１つの画像データを選択させるための処理を行うユーザインタフェース手段と、ユーザインタフェース手段が操作者に選択させた画像データが表している３次元画像を、その３次元画像が示している場所の所在地を示す２次元地図と共に出力する処理を、地図情報記憶手段に記憶されている情報と，その画像データが表している３次元画像が示している場所に関するものとして画像データ記憶手段に記憶されている位置情報とに基づいて行う場所情報出力手段とを、備える。
【０００７】
すなわち、本発明の場所情報提供装置は、ユーザによって或る場所に関する画像データ（デジタルカメラの撮像結果等）が選択されたときに、当該場所の３次元画像を、当該場所の所在地を示す２次元地図と共に出力する構成を有する。従って、この場所情報提供装置を用いれば、３次元画像が出力される分、従来の２次元の地図のみが出力される技術よりも、明確に待ち合わせ場所を他者に知らせることが出来ることになる。
【０００８】
本発明の場所情報提供装置を構成する際には、ユーザインタフェース手段を、操作者に情報の送信先を指定させるための処理も行う手段としておくと共に、場所情報出力手段を、ユーザインタフェース手段が操作者に指定させた送信先に、画像データと２次元地図を表示するめの情報とを送信する手段としておくことが出来る。また、ユーザインタフェース手段を、操作者にＦＡＸ番号を指定させるための処理も行う手段としておくと共に、場所情報出力手段を、ユーザインタフェース手段が操作者に指定させたＦＡＸ番号を有するＦＡＸに、３次元画像と２次元地図とが示された書類をＦＡＸする手段としておくことも出来る。
【０００９】
また、ユーザインタフェース手段を、操作者に送信先メールアドレスを指定させるための処理も行う手段としておくと共に、場所情報出力手段を、ユーザインタフェース手段が操作者に指定させた送信先メールアドレスを宛先アドレスとした，その受信者が、画像データが表している３次元画像と２次元地図とを確認可能なＥメールを送信する手段としておくことも出来る。さらに、各種のＨＴＭＬデータを記憶しておく機能と、記憶している各ＨＴＭＬデータを，それを要求したコンピュータに提供する機能とを有するＨＴＭＬデータ公開手段を、付加しておき、ユーザインタフェース手段を、操作者に送信先メールアドレスを指定させるための処理も行う手段とし、場所情報出力手段を、３次元画像と２次元地図とが示されるＷｅｂページのＨＴＭＬデータをＨＴＭＬデータ公開手段に記憶させる手段であると共に、ユーザインタフェース手段が操作者に指定させた送信先メールアドレスを宛先アドレスとした，ＨＴＭＬデータ公開手段に記憶させたＨＴＭＬデータのＵＲＬが本文に設定されているＥメールを送信する手段としておくことも出来る。
【００１０】
なお、本発明の場所情報提供装置を実現する際には、ユーザインタフェース手段を、操作者に，３次元画像上に付けるマークの位置を指定させるための処理も行う手段としておくと共に、場所情報出力手段が、ユーザインタフェース手段が操作者に選択させた画像データが表している３次元画像上に、ユーザインタフェース手段が操作者に指定された位置にマークを付けた３次元画像を、その３次元画像が示している場所の所在地を示す２次元地図と共に出力する処理を行う手段としておくことが望ましい。
【発明を実施するための最良の形態】
【００１１】
以下、本発明を実施するための最良の形態を、図面を参照して詳細に説明する。
【００１２】
図１に模式的に示してあるように、本発明の一実施形態に係る場所情報提供装置１０は、地図情報データベース(地図情報ＤＢ)１１及びパスワード管理テーブル(ＰＷ管理テーブル)１２を備えた，ネットワーク（インターネット及び公衆電話網）に接続されて使用される装置である。なお、本実施形態に係る場所情報提供装置１０は、比較的に高機能なコンピュータに各種ファイルをインストールすることによって構成(製造)された装置となっている。
【００１３】
この場所情報提供装置１０が備える地図情報データベース１１は、２次元の地図を表示するための各種情報や，多数の場所／施設に関する画像データ（デジタルカメラによる撮像結果，３Ｄコンピュータグラフィックデータ等）を保持したデータベースである。また、地図情報データベース１１は、当該多数の場所／施設のそれぞれに関する緯度・経度情報，名称（“〜公園”，“〜交差点”等），観察方向情報も保持したデータベースとなっている。なお、観察方向情報とは、対応する場所／施設に関する画像データが、当該場所／施設をどの方向から見た画像データであるかを示す情報のことである。
【００１４】
ＰＷ管理テーブル１２は、ＵＲＬとパスワードと登録日時とを設定可能なレコードを複数個記憶可能なテーブルである。このＰＷ管理テーブル１２は、待ち合わせ場所通知ページ用のＨＴＭＬデータを作成した際（詳細は後述）に、場所情報提供装置１０が、そのＨＴＭＬデータのＵＲＬ等を設定したレコードを追加するテーブルとなっている。
【００１５】
そして、本実施形態に係る場所情報提供装置１０は、受信したＨＴＴＰリクエストが、このＰＷ管理テーブル１２に記憶されているいずれかのＵＲＬを含むものであった場合には、パスワードの入力を要求し、入力されたパスワードが正しいもの（ＰＷ管理テーブル１２に記憶されているものと一致するもの）であった場合に限り、対応するＨＴＭＬデータを送信する機能と、登録日時から所定時間（例えば、４８時間）が経過したレコードをＰＷ管理テーブル１２上から消去する機能とを有する装置となっている。
【００１６】
さらに、本実施形態に係る場所情報提供装置１０は、所定のＨＴＴＰリクエスト（以下、利用開始リクエストと表記する）を受信した場合、図２に示した手順の処理を実行する装置となっている。なお、以下の説明において、処理対象コンピュータとは、利用開始リクエストをインターネット上に送信したコンピュータのことであり、処理対象ユーザとは、処理対象コンピュータのユーザ（操作者）のことである。
【００１７】
すなわち、利用開始リクエストを受信した場所情報提供装置１０は、まず、表示地域問い合わせ処理(ステップＳ１０１)を行う。この表示地域問い合わせ処理は、図３に示したような構成のＷｅｂページ（以下、検索条件入力ページと表記する）を提供することにより、処理対象ユーザに，地図を表示すべき地域の住所や郵便番号等を入力させる処理である。より具体的には、表示地域問い合わせ処理は、図３に示したような構成の検索条件入力ページを表示させるためのデータを処理対象ユーザのコンピュータに送信し、この検索条件入力ページ上の各“検索”ボタンが押下された際に送信されるＨＴＴＰリクエスト（住所や郵便番号が設定されているリクエスト）を受信したときに、終了する処理となっている。
【００１８】
表示地域問い合わせ処理を終えた場所情報提供装置１０は、地図情報データベース１１内の情報を利用して、表示地域問い合わせ処理の処理結果（ユーザによって入力された住所や郵便番号）に応じた地域の地図が示される第１種地図ページを処理対象ユーザに提供する処理(ステップＳ１０２)を行う。
【００１９】
このステップＳ１０２の処理にて処理対象ユーザに提供される第１種地図ページは、図４に例示したように、地図が表示される領域２１、４個の移動指示アイテム２２Ｅ，２２Ｗ，２２Ｎ，２２Ｓ等を備えたＷｅｂページである。また、この第１種地図ページは、領域２１（地図）や移動指示アイテム２２Ｘ（Ｘ＝Ｅ，Ｗ，Ｎ，Ｓ）がクリックされた場合，クリックされたアイテムに応じた内容のＨＴＴＰリクエスト（場所情報提供装置１０が受信するもの）を処理対象コンピュータに送信させるＷｅｂページとなっている。
【００２０】
このような第１種地図ページを処理対象ユーザに提供した場所情報提供装置１０は、第１種地図ページに対する処理対象ユーザの操作内容を監視する処理(図２：ステップＳ１０３)を開始する。すなわち、場所情報提供装置１０は、第１種地図ページ上の各種アイテムが操作された結果として送信されてくる各種ＨＴＴＰリクエストの受信を監視する状態となる。
【００２１】
そして、場所情報提供装置１０は、移動指示アイテム２２Ｘ（Ｘ＝Ｅ，Ｗ，Ｎ，Ｓ）がクリックされた際に送信されるＨＴＴＰリクエストを受信した場合(ステップＳ１０２；移動指示アイテム)には、クリックされた移動指示アイテム２２Ｘに応じた方向にシフトさせた地域の地図が領域２１内に示される第１種地図ページを処理対象ユーザに提供する処理(ステップＳ１０４)を行ってから、再び、ステップＳ１０３の処理を実行している状態となる。
【００２２】
一方、地図（領域２１）がクリックされた際に送信されるＨＴＴＰリクエストを受信した場合(ステップＳ１０２；地図)、場所情報提供装置１０は、まず、地図情報データベース１１から、第１種地図ページ上に地図が示されていた地域内に存在する各場所／施設に関する画像データ，緯度・経度情報，名称及び観察方向情報を読み出す(ステップＳ１０５)。要するに、場所情報提供装置１０は、このステップＳ１０５において、第１種地図ページ上に地図が示されていた地域の緯度及び経度の範囲を特定し、特定した範囲内に存在することを示す緯度・経度情報に対応付けられている各場所／施設に関する画像データ等を地図情報データベース１１から読み出す処理を行う。
【００２３】
次いで、場所情報提供装置１０は、地図情報データベース１１から読み出した情報を利用して、図５に示したような構成の第２種地図ページを処理対象ユーザに提供する処理(ステップＳ１０６)を行う。
【００２４】
以下、このステップＳ１０６の処理内容を説明する代わりに、ステップＳ１０６の処理にて処理対象ユーザに提供される第２種地図ページの構成，機能を説明する。
【００２５】
この第２種地図ページ（図５）の領域３５内に示されている各画像（以下、待ち合わせ場所画像と表記する）は、地図情報データベース１１から読み出された各場所／施設に関する画像データの表示結果である。各待ち合わせ場所画像の下方に示されている文字列（“南砂緑道公園”等）は、ステップＳ１０５の処理にて地図情報データベース１１から読み出された，各場所／施設に関する名称である。領域３１内に表示されている地図は、第１種地図ページ（図５）の領域２１内に表示されていた地図上に、地図情報データベース１１から読み出された各場所／施設の緯度・経度情報及び観察方向情報位置に基づき、待ち合わせ場所画像が領域３５内に表示されている各場所／施設の位置を示す位置提示記号（（Ａ），（Ｂ）等）と、各待ち合わせ場所画像が，或る場所／施設をどの方向から見た画像であるかを矢印の向きで示す矢印記号とを付加した地図である。
【００２６】
そして、この第２種地図ページは、待ち合わせ場所画像や位置提示記号がクリックされた場合，クリックされたアイテムを示すＨＴＴＰリクエスト（場所情報提供装置１０が受信するもの）を処理対象コンピュータに送信させるＷｅｂページとなっている。
【００２７】
図２に戻って場所情報提供装置１０の動作説明を続ける。
【００２８】
上記のような第２種地図ページを処理対象ユーザに提供した場所情報提供装置１０は、或る場所／施設に関する待ち合わせ場所画像或いは位置提示記号が処理対象ユーザによってクリックされるのを待機する処理(ステップＳ１０７)を開始する。そして、場所情報提供装置１０は、或る場所／施設に関する待ち合わせ場所画像或いは位置提示記号が処理対象ユーザによってクリックされたことを検出した場合(ステップＳ１０７；ＹＥＳ)には、待ち合わせポイント指定ページを処理対象ユーザに提供する処理(ステップＳ１０８)を行う。
【００２９】
このステップの処理により処理対象ユーザに提供される待ち合わせポイント指定ページは、図６に示したように、処理対象ユーザがクリックした待ち合わせ場所画像（或いは処理対象ユーザがクリックした位置提示記号に対応する待ち合わせ場所画像）が表示される領域４１や、“次へ”ボタン４２等を備えたＷｅｂページである。また、この待ち合わせポイント指定ページは、待ち合わせ場所画像（領域４１）上の任意の位置をクリックすると、当該場所にマーク４３が表示されるＷｅｂページとなっている。さらに、待ち合わせポイント指定ページは、“次へ”ボタン４２をクリックすると、マーク４３の座標を表す座標情報を含むＨＴＴＰリクエスト（場所情報提供装置１０が受信するもの；以下、処理続行指示リクエストと表記する）を処理対象コンピュータに送信させるＷｅｂページとなっている。
【００３０】
このような待ち合わせポイント指定ページを処理対象ユーザに提供（図２：ステップＳ１０８）した場所情報提供装置１０は、処理対象コンピュータから処理続行指示リクエストが送信されてくる（待ち合わせポイント指定ページ上の“次へ”ボタン４２がクリックされる）のを待機する(ステップＳ１０９)。
【００３１】
そして、場所情報提供装置１０は、処理対象コンピュータから処理続行指示リクエストが送信されてきた場合(ステップＳ１０９；ＹＥＳ)には、ステップＳ１１０にて、以下の内容の送信種別・送信先問い合わせ処理を行う。
【００３２】
送信種別・送信先問い合わせ処理を開始した場所情報提供装置１０は、まず、所定のＷｅｂページを提供することにより、処理対象ユーザに、待ち合わせ場所通知ページを作成するか，待ち合わせ場所通知ページ相当の情報をＦＡＸ送信するか，待ち合わせ場所通知ページ相当の情報をメール送信するかを問い合わせる処理を行う。なお、待ち合わせ場所通知ページとは、図１０に示したような構成のＷｅｂページ（詳細は後述）のことである。また、ＦＡＸ送信，メール送信される待ち合わせ場所通知ページ相当の情報とは、それぞれ、この待ち合わせ場所通知ページに相当する内容のＦＡＸ，Ｅメール（ＨＴＭＬメール）のことである。
【００３３】
上記のような問い合わせを行った場所情報提供装置１０は、送信先問い合わせ処理を行う。
【００３４】
この送信先問い合わせ処理は、待ち合わせ場所通知ページを作成することを選択した処理対象ユーザに対しては、図７に示した構成の送信先設定ページを提供することにより、送信先を問い合わせる処理となっている。すなわち、待ち合わせ場所通知ページを作成することを選択した処理対象ユーザに対して実行される送信先問い合わせ処理は、パスワード，幾つかのＵＲＬ通知先メールアドレス，コメント，送信者（処理対象ユーザ）の名前、電話番号，ＦＡＸ番号，メールアドレスを処理対象ユーザから取得するための処理となっている。
【００３５】
また、送信先問い合わせ処理は、待ち合わせ場所通知ページ相当の情報をＦＡＸ送信することを選択した処理対象ユーザに対しては、図８に示した構成の送信先設定ページを提供し、待ち合わせ場所通知ページ相当の情報をメール送信することを選択した処理対象ユーザに対しては、図９に示した構成の送信先設定ページを提供する処理となっている。すなわち、待ち合わせ場所通知ページ相当の情報をＦＡＸ送信することを選択した処理対象ユーザに対して実行される送信先問い合わせ処理は、幾つかの送信先ＦＡＸ番号，コメント，送信者（処理対象ユーザ）の名前、電話番号，ＦＡＸ番号，メールアドレスを取得するための処理となっている。また、また、待ち合わせ場所通知ページ相当の情報をメール送信することを選択した処理対象ユーザに対して実行される送信先問い合わせ処理は、幾つかの送信先メールアドレス，コメント，送信者（処理対象ユーザ）の名前、電話番号，ＦＡＸ番号，メールアドレスを処理対象ユーザから取得するための処理となっている。
【００３６】
そして、いずれかの送信先問い合わせ処理を行った場所情報提供装置１０は、送信種別・送信先問い合わせ処理（図２：ステップＳ１１０）を終了し、ステップＳ１１１にて、それまでの処理で処理対象ユーザから得ている各種情報に応じた内容の処理を行う。
【００３７】
具体的には、処理対象ユーザが待ち合わせ場所通知ページを作成することを選択していた場合、このステップＳ１１１において、場所情報提供装置１０は、処理対象ユーザが選択した場所／施設の位置が示されている２次元地図，処理対象ユーザが選択した待ち合わせ場所画像（マーク付き），処理対象ユーザが設定したコメント等（図７参照）が示される待ち合わせ場所通知ページ（図１０参照）のＨＴＭＬデータを作成して内部に記憶する処理を行う。
【００３８】
また、場所情報提供装置１０は、作成したＨＴＭＬデータのＵＲＬ，処理対象ユーザが送信先設定ページ（図７）に設定したパスワード，及び，登録日時（＝現在日時）を設定したレコードをＰＷ管理テーブル２１に追加する処理を行う。さらに、場所情報提供装置１０は、作成したＨＴＭＬデータのＵＲＬと、処理対象ユーザが送信先設定ページ（図７）に設定した各種のパスワード，コメント等から生成したテキストを本文とし，処理対象ユーザが送信先設定ページに設定した各ＵＲＬ通知先メールアドレスを宛先アドレスとしたＥメールを送信する処理も行う。
【００３９】
一方、処理対象ユーザが、待ち合わせ場所通知ページ相当の情報をＦＡＸ送信することを選択していた場合、場所情報提供装置１０は、ステップＳ１１１にて、図１０に示したような構成の待ち合わせ場所通知ページ相当の情報（画像付き書類）を作成して，処理対象ユーザが送信先設定ページ（図８）に設定した各送信先ＦＡＸ番号に宛ててＦＡＸ送信する処理を行う。また、処理対象ユーザが、待ち合わせ場所通知ページ相当の情報をメール送信することを選択していた場合、場所情報提供装置１０は、ステップＳ１１１にて、図１０に示したような構成の待ち合わせ場所通知ページ相当のＨＴＭＬメールを作成して，処理対象ユーザが送信先設定ページ（図９）に設定した各送信先メールアドレスを宛先アドレスとしてメール送信する処理を行う。
【００４０】
そして、このような処理をステップＳ１１１にて行った場所情報提供装置１０は、この図２の処理（受信した利用開始リクエストに対する処理）を終了する。
【００４１】
以上、説明したように、本実施形態に係る場所情報提供装置１０は、待ち合わせ場所の３次元画像を、当該場所の所在地を示す２次元地図と共に出力可能な装置となっている。従って、この場所情報提供装置１０を用いれば、３次元画像が出力される分、従来の２次元の地図のみが出力される技術よりも、明確に待ち合わせ場所を他者に知らせることが出来ることになる。
【００４２】
《変形形態》
上記した場所情報提供装置１０は、各種の変形を行うことが出来る。例えば、場所情報提供装置１０は、ユーザが、待ち合わせ場所通知ページを作成するか，待ち合わせ場所通知ページ相当の情報をＦＡＸ送信するか，待ち合わせ場所通知ページ相当の情報をメール送信するかを選択できる装置であったが、この選択が行えない装置や、２種以上の送信種別を同時に選択できる装置に、場所情報提供装置１０を変形することが出来る。
【００４３】
また、各Ｗｅｂページの具体的な構成を上記したものとは異なるものとしておいても良いことや、場所情報提供装置１０を１台の装置で実現しなくても良い（何台かの装置がネットワーク接続された装置として実現しても良い）ことなどは、当然のことである。
【図面の簡単な説明】
【００４４】
【図１】本発明の一実施形態に係る場所情報提供装置の構成及び使用形態の説明図。
【図２】実施形態に係る場所情報提供装置の動作を説明するための流れ図。
【図３】実施形態に係る場所情報提供装置が提供する検索条件入力ページの説明図。
【図４】実施形態に係る場所情報提供装置が提供する第１種地図ページの説明図。
【図５】実施形態に係る場所情報提供装置が提供する第２種地図ページの説明図。
【図６】実施形態に係る場所情報提供装置が提供する待ち合わせポイント指定ページの説明図。
【図７】実施形態に係る場所情報提供装置が待ち合わせ場所通知ページを作成することを選択した処理対象ユーザに提供する送信先設定ページの説明図。
【図８】実施形態に係る場所情報提供装置が待ち合わせ場所通知ページ相当の情報をＦＡＸ送信することを選択した提供する送信先設定ページの説明図。
【図９】実施形態に係る場所情報提供装置が待ち合わせ場所通知ページ相当の情報をメール送信することを選択した提供する送信先設定ページの説明図。
【図１０】実施形態に係る場所情報提供装置が提供する待ち合わせ場所通知ページの説明図。
【符号の説明】
【００４５】
１０  場所情報提供装置
１１  地図情報データベース
１２  パスワード管理テーブル
【図１】
2007041898.tif 000003
【図２】
2007041898.tif 000004
【図３】
2007041898.tif 000005
【図４】
2007041898.tif 000006
【図５】
2007041898.tif 000007
【図６】
2007041898.tif 000008
【図７】
2007041898.tif 000009
【図８】
2007041898.tif 000010
【図９】
2007041898.tif 000011
【図１０】
2007041898.tif 000012